(57)【特許請求の範囲】
【請求項１】
接続ポイント（ＣＰ）におけるユーザ機器（ＵＥ）の発見のためのワイヤレス通信の方法であって、前記方法は、
基準タイミング情報を受信することと、
前記基準タイミング情報に基づいて、ビーコンを送信するための１つまたは複数のタイムスロットを決定することと、
前記１つまたは複数のタイムスロットのうちの少なくとも１つのタイムスロット中に前記ビーコンを送信することと
を備え、
ここにおいて、前記ビーコンは、前記少なくとも１つのタイムスロットのいくつかのサブスロットにそれぞれ対応する１つまたは複数の方向において送信され、前記ビーコンが、デジタルビームフォーミング能力、送信電力、アンテナの数、他のＣＰを見る能力、外部ネットワークへの接続性、または外部ネットワークへのモビリティのうちの少なくとも１つを示す、前記ＣＰのビームフォーミング能力情報を備えること、および前記方法が、    前記少なくとも１つのタイムスロットの少なくとも１つのサブスロット中で前記ビーコンを送信することを控えることと、
前記少なくとも１つのサブスロット中に少なくとも１つの他のＣＰの存在を発見することと
をさらに備えることを特徴とする、方法。
【請求項２】
前記ビーコンが、擬似ランダム方法に従って選択された方向において送信される、請求項１に記載の方法。
【請求項３】
前記擬似ランダム方法が、前記ＣＰのセル識別子に基づいて計算されるか、または前記ＣＰに割り当てられる、請求項２に記載の方法。
【請求項４】
前記１つまたは複数のタイムスロットのうちの少なくとも１つの他のタイムスロット中に前記ＵＥから応答信号を受信すること
をさらに備え、ここにおいて、前記応答信号は、前記ビーコンが送信される前記１つまたは複数の方向に対応する方向において受信される、請求項１に記載の方法。
【請求項５】
前記ビーコンが複数のビームフォーミング方向において同時に送信される、請求項１に記載の方法。
【請求項６】
少なくとも１つの方向においてデータまたは制御情報を送信しながら、少なくとも１つの他の方向において前記ビーコンを送信することをさらに備える、請求項１に記載の方法。
【請求項７】
前記少なくとも１つの他のＣＰの送信タイミングを決定することと、
前記少なくとも１つの他のＣＰの前記送信タイミングに基づいて前記１つまたは複数のタイムスロットの境界を調整することと
をさらに備える、請求項１に記載の方法。
【請求項８】
前記ビーコンが、送信のために前記少なくとも１つの他のＣＰによって使用されるサブバンドとは異なるサブバンド中で送信される、請求項１に記載の方法。
【請求項９】
少なくとも１つの接続ポイント（ＣＰ）の発見のためのユーザ機器（ＵＥ）におけるワイヤレス通信の方法であって、前記方法は、
基準タイミング情報を受信することと、
前記基準タイミング情報に基づいて、前記少なくとも１つのＣＰからそれぞれ少なくとも１つのビーコンを受信するための１つまたは複数のタイムスロットを決定することと、ここにおいて、それぞれのビーコンが、デジタルビームフォーミング能力、送信電力、アンテナの数、他のＣＰを見る能力、外部ネットワークへの接続性、または外部ネットワークへのモビリティのうちの少なくとも１つを示す、それぞれの接続ポイントのビームフォーミング能力情報を備える、
前記１つまたは複数のタイムスロットのうちの少なくとも１つのタイムスロット中に起動することと、
前記少なくとも１つのタイムスロットのいくつかのサブスロットにそれぞれ対応する１つまたは複数の方向において前記少なくとも１つのビーコンを監視することと、
前記少なくとも１つのタイムスロット中で前記少なくとも１つのビーコンを受信することと、ここにおいて、前記少なくとも１つのビーコンが、前記１つまたは複数の方向のうちの少なくとも１つの方向において受信される、
を備え、
前記方法はさらに、前記ビームフォーミング能力情報に基づいて前記少なくとも１つの接続ポイントの送信タイミングを決定することと、
前記少なくとも１つの接続ポイントの前記送信タイミングに基づいて前記１つまたは複数のタイムスロットの境界を調整することと、
を備える、方法。
【請求項１０】
前記１つまたは複数のタイムスロットのうちの少なくとも１つの他のタイムスロット中に応答信号を接続ポイントに送信すること
をさらに備え、ここにおいて、前記応答信号は、ビーコンが、しきい値よりも大きい電力で受信される、前記少なくとも１つのタイムスロットのサブスロットに対応する前記少なくとも１つの他のタイムスロットのサブスロット中で送信される、請求項９に記載の方法。
【請求項１１】
しきい値よりも大きい信号強度で受信される前記ビーコン、または
それぞれのビーコン中に含まれる前記ビームフォーミング能力情報
のうちの少なくとも１つに基づいて、前記少なくとも１つのタイムスロットの同じサブスロット中で前記それぞれのビーコンを送信した複数の接続ポイントのうちの１つを選択することと、
前記１つまたは複数のタイムスロットのうちの少なくとも１つの他のタイムスロット中に応答信号を前記選択された接続ポイントに送信することと、ここにおいて、前記応答信号は、前記選択された接続ポイントからの前記ビーコンが受信される前記少なくとも１つのタイムスロットの前記サブスロットに対応する前記少なくとも１つの他のタイムスロットのサブスロット中で送信される、
をさらに備える、請求項９に記載の方法。
【請求項１２】
前記選択された接続ポイントからの前記ビーコンが、第１の受信方向を使用して受信され、
前記応答信号が、前記第１の受信方向に対応する第１の送信方向において前記選択された接続ポイントに送信される、
請求項１１に記載の方法。
【請求項１３】
前記少なくとも１つのビーコンの受信電力を決定することと、
前記少なくとも１つのビーコンの前記受信電力に基づいて送信電力を調整することと  をさらに備える、請求項９に記載の方法。
【請求項１４】
ユーザ機器（ＵＥ）を発見するように構成された、ワイヤレス通信のための接続ポイント（ＣＰ）であって、前記ＣＰは、
基準タイミング情報を受信するための手段と、
前記基準タイミング情報に基づいて、ビーコンを送信するための１つまたは複数のタイムスロットを決定するための手段と、
前記１つまたは複数のタイムスロットのうちの少なくとも１つのタイムスロット中に前記ビーコンを送信するための手段と
を備え、
ここにおいて、前記ビーコンは、前記少なくとも１つのタイムスロットのいくつかのサブスロットにそれぞれ対応する１つまたは複数の方向において送信され、前記ビーコンが、デジタルビームフォーミング能力、送信電力、アンテナの数、他のＣＰを見る能力、外部ネットワークへの接続性、または外部ネットワークへのモビリティのうちの少なくとも１つを示す、前記ＣＰのビームフォーミング能力情報を備えること、および前記ＣＰが、    前記少なくとも１つのタイムスロットの少なくとも１つのサブスロット中で前記ビーコンを送信することを控えるための手段と、
前記少なくとも１つのサブスロット中に少なくとも１つの他のＣＰの存在を発見するための手段と
をさらに備えることを特徴とする、ＣＰ。
【請求項１５】
少なくとも１つの接続ポイント（ＣＰ）を発見するように構成された、ワイヤレス通信のためのユーザ機器（ＵＥ）であって、前記ＵＥは、
基準タイミング情報を受信するための手段と、
前記基準タイミング情報に基づいて、前記少なくとも１つのＣＰからそれぞれ少なくとも１つのビーコンを受信するための１つまたは複数のタイムスロットを決定するための手段と、ここにおいて、それぞれのビーコンが、デジタルビームフォーミング能力、送信電力、アンテナの数、他のＣＰを見る能力、外部ネットワークへの接続性、または外部ネットワークへのモビリティのうちの少なくとも１つを示す、それぞれの接続ポイントのビームフォーミング能力情報を備える、
前記１つまたは複数のタイムスロットのうちの少なくとも１つのタイムスロット中に起動するための手段と、
前記少なくとも１つのタイムスロットのいくつかのサブスロットにそれぞれ対応する１つまたは複数の方向において前記少なくとも１つのビーコンを監視するための手段と、 前記少なくとも１つのタイムスロット中で前記少なくとも１つのビーコンを受信するための手段と、ここにおいて、前記少なくとも１つのビーコンが、前記１つまたは複数の方向のうちの少なくとも１つの方向において受信される、
を備え、
前記ＵＥはさらに、前記ビームフォーミング能力情報に基づいて前記少なくとも１つの接続ポイントの送信タイミングを決定するための手段と、
前記少なくとも１つの接続ポイントの前記送信タイミングに基づいて前記１つまたは複数のタイムスロットの境界を調整するための手段と、
を備える、ＵＥ。
【発明の詳細な説明】
【技術分野】
【０００１】
関連出願の相互参照
[0001]本出願は、その全体が参照により本明細書に明確に組み込まれる、２０１４年６月１６日に出願された「COORDINATED DISCOVERY OF MMW CONNECTION POINTS AND UES」と題する米国特許出願第１４／３０６，１１４号の利益を主張する。
【背景技術】
【０００２】
[0002]本開示は、一般に通信システムに関し、より詳細には、ミリメートル波（ｍｍＷ：millimeter wave）アクセスシステムにおける接続ポイント（ＣＰ：connection point）とユーザ機器（ＵＥ）との間の協働発見に関する。
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は、ワイヤレス通信のための接続ポイント（ＣＰ）であり、基準タイミング情報を受信することと、基準タイミング情報に基づいて、ビーコンを送信するための１つまたは複数のタイムスロットを決定することと、１つまたは複数のタイムスロットのうちの少なくとも１つのタイムスロット中にビーコンを送信することとを行うように構成され得、ここにおいて、ビーコンは、少なくとも１つのタイムスロットのいくつかのサブスロットに対応するそれぞれ１つまたは複数の方向において送信され、ここにおいて、ビーコンはＣＰのビームフォーミング能力情報を備える。
【０００６】
[0006]別の態様では、本装置は、ワイヤレス通信のためのユーザ機器（ＵＥ）であり、基準タイミング情報を受信することと、基準タイミング情報に基づいて、少なくとも１つの接続ポイントからそれぞれ少なくとも１つのビーコンを受信するための１つまたは複数のタイムスロットを決定することと、ここにおいて、それぞれのビーコンが、それぞれの接続ポイントのビームフォーミング能力情報を備える、１つまたは複数のタイムスロットのうちの少なくとも１つのタイムスロット中に起動することと、少なくとも１つのタイムスロットのいくつかのサブスロットに対応するそれぞれ１つまたは複数の方向において少なくとも１つのビーコンを監視することと、少なくとも１つのタイムスロット中で少なくとも１つのビーコンを受信することと、ここにおいて、少なくとも１つのビーコンが、１つまたは複数の方向のうちの少なくとも１つの方向において受信される、を行うように構成され得る。
【図面の簡単な説明】
【０００７】
【図１】[0007]ネットワークアーキテクチャの一例を示す図。
【図２】[0008]アクセスネットワークの一例を示す図。
【図３】[0009]ＬＴＥにおけるＤＬフレーム構造の一例を示す図。
【図４】[0010]ＬＴＥにおけるＵＬフレーム構造の一例を示す図。
【図５】[0011]ユーザプレーンおよび制御プレーンのための無線プロトコルアーキテクチャの一例を示す図。
【図６】[0012]アクセスネットワーク中の発展型ノードＢおよびユーザ機器の一例を示す図。
【図７】[0013]デバイスツーデバイス通信システムの図。
【図８Ａ】[0014]ＬＴＥシステムとともに使用されるｍｍＷシステムの例示的な展開を示す図。
【図８Ｂ】ＬＴＥシステムとともに使用されるｍｍＷシステムの例示的な展開を示す図。
【図８Ｃ】ＬＴＥシステムとともに使用されるｍｍＷシステムの例示的な展開を示す図。
【図９】[0015]ｍｍＷシステム動作シナリオを示す図。
【図１０Ａ】[0016]ＣＰとＵＥとの間のビームフォーミングされた信号の送信の一例を示す図。
【図１０Ｂ】ＣＰとＵＥとの間のビームフォーミングされた信号の送信の一例を示す図。
【図１１Ａ】[0017]信号を送信するために外部タイミング／周波数情報を使用することの一例を示す図。
【図１１Ｂ】[0018]タイムスロットサブスロット中で、ビームフォーミングされた信号を通信することの一例を示す図。
【図１２】[0019]ワイヤレス通信の方法のフローチャート。
【図１３】[0020]ワイヤレス通信の方法のフローチャート。
【図１４】[0021]例示的な装置中の異なるモジュール／手段／構成要素間のデータフローを示す概念データフロー図。
【図１５】[0022]例示的な装置中の異なるモジュール／手段／構成要素間のデータフローを示す概念データフロー図。
【図１６】[0023]処理システムを採用する装置のためのハードウェア実装形態の一例を示す図。
【図１７】[0024]処理システムを採用する装置のためのハードウェア実装形態の一例を示す図。
【発明を実施するための形態】
【０００８】
[0025]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0026]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１０】
[0027]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0028]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１２】
[0029]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示する様々な概念は、回線交換サービスを提供するネットワークに拡張され得る。
【００１３】
[0030]Ｅ−ＵＴＲＡＮは、発展型ノードＢ（ｅＮＢ：evolved Node B）１０６と、他のｅＮＢ１０８と、マルチキャスト協調エンティティ（ＭＣＥ：Multicast Coordination Entity）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0031]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１５】
[0032]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリアを指すことがあり、および／またはｅＮＢサブシステムサービングは特定のカバレージエリアである。さらに、「ｅＮＢ」、「基地局」、および「セル」という用語は、本明細書では互換的に使用されることがある。
【００１６】
[0033]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００１７】
[0034]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００１８】
[0035]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0036]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２０】
[0037]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２１】
[0038]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続サブキャリアのすべてを単一のＵＥに割り当てることを可能にし得る連続サブキャリアを含むデータセクションを生じる。
【００２２】
[0039]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２３】
[0040]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００２４】
[0041]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３で示される。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0042]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２６】
[0043]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２７】
[0044]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２８】
[0045]図６は、アクセスネットワーク中でＵＥ６５０と通信している基地局６１０のブロック図である。基地局６１０は、たとえば、ＬＴＥシステムのｅＮＢ、ミリメートル波（ｍｍＷ）システムの接続ポイント（ＣＰ）／アクセスポイント／基地局、ＬＴＥシステムとｍｍＷシステムとを介して信号を通信することが可能なｅＮＢ、またはＬＴＥシステムとｍｍＷシステムとを介して信号を通信することが可能な接続ポイント（ＣＰ）／アクセスポイント／基地局であり得る。ＵＥ６５０は、ＬＴＥシステムおよび／またはｍｍＷシステムを介して信号を通信することが可能であり得る。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２９】
[0046]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするためのコーディングとインターリービングとを含む。コーディングされ変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３０】
[0047]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、基地局６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上で基地局６１０によって最初に送信されたデータと制御信号とを復元するために復号され、デインターリーブされる。データおよび制御信号は、次いで、コントローラ／プロセッサ６５９に与えられる。
【００３１】
[0048]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。
【００３２】
[0049]ＵＬでは、データソース６６７は、コントローラ／プロセッサ６５９に上位レイヤパケットを与えるために使用される。データソース６６７は、Ｌ２レイヤの上のすべてのプロトコルレイヤを表す。基地局６１０によるＤＬ送信に関して説明した機能と同様に、コントローラ／プロセッサ６５９は、ヘッダ圧縮と、暗号化と、パケットのセグメンテーションおよび並べ替えと、基地局６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、基地局６１０へのシグナリングとを担当する。
【００３３】
[0050]基地局６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３４】
[0051]ＵＬ送信は、ＵＥ６５０における受信機機能に関して説明した方法と同様の方法で基地局６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３５】
[0052]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするために、ＡＣＫおよび／またはＮＡＣＫプロトコルを使用する誤り検出を担当する。
【００３６】
[0053]図７はデバイスツーデバイス通信システム７００の図である。デバイスツーデバイス通信システム７００は複数のワイヤレスデバイス７０４、７０６、７０８、７１０を含む。デバイスツーデバイス通信システム７００は、たとえば、ワイヤレスワイドエリアネットワーク（ＷＷＡＮ）などのセルラー通信システムと重なり得る。ワイヤレスデバイス７０４、７０６、７０８、７１０の一部は、ＤＬ／ＵＬ  ＷＷＡＮスペクトルを使用してデバイスツーデバイス通信において互いに通信し、一部は基地局７０２と通信し、一部は両方を行い得る。たとえば、図７に示されているように、ワイヤレスデバイス７０８、７１０はデバイスツーデバイス通信中であり、ワイヤレスデバイス７０４、７０６はデバイスツーデバイス通信中である。ワイヤレスデバイス７０４、７０６は基地局７０２とも通信している。
【００３７】
[0054]以下で説明する例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイスツーデバイス通信システムなど、様々なワイヤレスデバイスツーデバイス通信システムのいずれにも適用可能である。説明を簡略化するために、例示的な方法および装置についてＬＴＥのコンテキスト内で説明する。ただし、例示的な方法および装置は様々な他のワイヤレスデバイスツーデバイス通信システムにより一般的に適用可能であることを、当業者は理解されよう。
【００３８】
[0055]ＬＴＥを求めるモチベーションは、モバイルデータ需要のためのセルラーネットワーク帯域幅を増加させることである。モバイルデータ需要が増加するにつれて、その需要を維持するために様々な他の技術が利用され得る。たとえば、高速モバイルデータは、ミリメートル波（ｍｍＷ）チャネルを使用して配信され得る。
【００３９】
[0056]ｍｍＷリンクは、ｍｍＷビームフォーミングが可能な送信機からｍｍＷビームフォーミングが可能な受信機へのベースバンドシンボルの配信として定義され得る。ｍｍＷリソースユニットは、ビーム幅とビーム方向とタイムスロットとの特定の組合せを含み得る。タイムスロットはＬＴＥサブフレームの部分であり、ＬＴＥ物理ダウンリンク制御チャネル（ＰＤＣＣＨ）フレームタイミングと整合され得る。送信機において送信電力を増加させることなしに受信ｍｍＷ信号強度を効果的に増加させるために、ビームフォーミングが適用され得る。送信機と受信機のいずれかまたはその両方のｍｍＷビーム幅を低減することによって、受信機利得が増加され得る。たとえば、ビーム幅は、位相シフトを適用することによって変更され得る。
【００４０】
[0057]ｍｍＷ通信システムは超高周波数帯域（たとえば、１０ＧＨｚ〜３００ＧＨｚ）において動作し得る。そのような高キャリア周波数は、大きい帯域幅の使用を可能にする。たとえば、６０ＧＨｚ  ｍｍＷワイヤレスネットワークは約６０ＧＨｚ周波数帯域において大きい帯域幅を与え、（たとえば、６．７Ｇｂｐｓまでの）極めて高いデータレートをサポートする能力を有する。たとえば、超高周波数帯域はバックホール通信のために使用されるか、またはネットワークアクセス（たとえば、ネットワークにアクセスするＵＥ）のために使用され得る。一態様では、ｍｍＷシステムによってサポートされる適用例は、たとえば、非圧縮ビデオストリーミング、ｓｙｎｃ−ｎ−ｇｏファイル転送、ビデオゲーム、およびワイヤレスディスプレイへの投影を含み得る。
【００４１】
[0058]ｍｍＷシステムが、低利得を有するチャネルを克服するために、いくつかのアンテナとビームフォーミングとの助けをかりて動作し得る。たとえば、高キャリア周波数帯域における大量の減衰は、送信信号の範囲を数メートル（たとえば、１〜３メートル）に制限し得る。また、障害物（たとえば、壁、家具、人間など）の存在は、高周波数ミリメートル波の伝搬を阻止し得る。したがって、高キャリア周波数における伝搬特性は、損失を克服するためにビームフォーミングのニーズを必要とする。ビームフォーミングは、受信デバイスに高周波数信号を特定の方向においてビームフォーミングし、したがって、信号の範囲を拡張するために、使用される指向性アンテナのアレイ（たとえば、フェーズドアレイ）を介して実装され得る。ｍｍＷシステムはスタンドアロン様式で動作し得るが、ｍｍＷシステムは、ＬＴＥなど、より確立されているがより低い周波数の（およびより低い帯域幅の）システムとともに実装され得る。
【００４２】
[0059]一態様では、ｍｍＷ対応接続ポイント（ＣＰ）（ｍｍＷ対応デバイスのためのネットワークアクセスポイント）は、街灯柱、建築物各面に取り付けられ、および／またはメトロセルとコロケートされ得る。ｍｍＷリンクは、障害物の周りの見通し線（ＬＯＳ：line of sight）または優勢反射経路に沿ったビームフォーミングによって形成され得る。ｍｍＷ対応デバイスの課題は、ビームフォーミングのための適切なＬＯＳまたは反射経路を見つけることである。
【００４３】
[0060]図８Ａ〜図８Ｃは、ＬＴＥシステムとともに使用されるｍｍＷシステムの例示的な展開を示す図である。図８Ａにおいて、図８００は、ＬＴＥシステムがｍｍＷシステムとは無関係に、およびｍｍＷシステムと並行して動作する展開を示している。図８Ａに示されているように、ＵＥ８０２は、ＬＴＥシステムとｍｍＷシステムとを介して信号を通信することが可能である。したがって、ＵＥ８０２は、ＬＴＥリンク８１０上でｅＮＢ８０４と通信し得る。ＬＴＥリンク８１０と並行して、ＵＥ８０２はまた、第１のｍｍＷリンク８１２上で第１のＣＰ８０６と通信し、第２のｍｍＷリンク８１４上で第２のＣＰ８０８と通信し得る。
【００４４】
[0061]図８Ｂにおいて、図８３０は、ＬＴＥシステムとｍｍＷシステムとがコロケートされる展開を示している。図８Ｂに示されているように、ＵＥ８３２は、ＬＴＥシステムとｍｍＷシステムとを介して信号を通信することが可能である。一態様では、基地局８３４は、ＬＴＥシステムとｍｍＷシステムとを介して信号を通信することが可能なＬＴＥ  ｅＮＢであり得る。したがって、基地局８３４はＬＴＥ＋ｍｍＷ  ｅＮＢと呼ばれることがある。別の態様では、基地局８３４は、ＬＴＥシステムとｍｍＷシステムとを介して信号を通信することが可能なｍｍＷ  ＣＰであり得る。したがって、基地局８３４はＬＴＥ＋ｍｍＷ  ＣＰと呼ばれることがある。ＵＥ８３２は、ＬＴＥリンク８３６上で基地局８３４と通信し得る。一方、ＵＥ８３２はまた、ｍｍＷリンク８３８上で基地局８３４と通信し得る。
【００４５】
[0062]図８Ｃにおいて、図８７０は、ＬＴＥシステムとｍｍＷシステムとを介して信号を通信することが可能な基地局（ＬＴＥ＋ｍｍＷ基地局）が、ｍｍＷシステムのみを介して信号を通信することが可能なＣＰとともに存在する展開を示している。図８Ｃに示されているように、ＵＥ８７２は、ＬＴＥリンク８８０上でＬＴＥ＋ｍｍＷ基地局８７４と通信し得る。ＬＴＥ＋ｍｍＷ基地局８７４は、ＬＴＥ＋ｍｍＷ  ｅＮＢまたはＬＴＥ＋ｍｍＷ  ＣＰであり得る。ＬＴＥリンク８８０と並行して、ＵＥ８７２はまた、第１のｍｍＷリンク８８２上で第１のＣＰ８７６と通信し、第２のｍｍＷリンク８８４上で第２のＣＰ８７８と通信し得る。第１のＣＰ８７６は、第１のｍｍＷバックホールリンク８８４上でＬＴＥ＋ｍｍＷ基地局８７４とさらに通信し得る。第２のＣＰ８７８は、第２のｍｍＷバックホールリンク８８６上でＬＴＥ＋ｍｍＷ基地局８７４とさらに通信し得る。
【００４６】
[0063]図９は、ｍｍＷシステム動作シナリオを示す図９００である。ネットワークは、ＵＥ（たとえば、ＵＥ９０２およびＵＥ９０４）が、高周波数ビームフォーミングされたチャネル上でｍｍＷ  ＣＰに接続することを可能にするために領域中で展開されるいくつかのｍｍＷ  ＣＰ（たとえばＣＰ９０６およびＣＰ９０８）を含み得る。図９に示されているように、ＵＥ９０２は、ＣＰ９０６とのｍｍＷリンク９１０および／またはＣＰ９０８とのｍｍＷリンク９１２を形成し得る。ＵＥ９０４は、ＣＰ９０６とのｍｍＷリンク９１４および／またはＣＰ９０８とのｍｍＷリンク９１６を形成し得る。一態様では、ｍｍＷ  ＣＰ（ＣＰ９０６およびＣＰ９０８）は、異なる方向においてビームフォーミングされた信号を送信し得る。ＵＥ（ＵＥ９０２またはＵＥ９０４）は、ＣＰから送信されたビームフォーミングされた信号の最適送信方向を決定し、ＣＰの最適送信方向に基づいてＣＰに対する同期を試み得る。ＵＥはまた、信号送信／受信性能を向上させるためにＵＥの最適送信および受信方向を決定し得る。
【００４７】
[0064]図１０Ａおよび図１０Ｂは、ＣＰとＵＥとの間のビームフォーミングされた信号の送信の一例を示す図である。図１０Ａを参照すると、図１０００は、異なる送信方向においてビームフォーミングされた信号１００６（たとえば、同期信号または発見信号）を送信するｍｍＷシステムのＣＰ１００４を示している。信号を送信した後に、ＣＰ１００４は受信モードに切り替わり得る。受信モードでは、ＣＰ１００４は、ＣＰ１００４が異なる送信方向において同期／発見信号を送信するシーケンスまたはパターンに対応する（マッピングする）シーケンスまたはパターンで異なる受信方向にわたって掃引し得る。各ビームフォーミングされた信号上の滞留時間は、ＵＥ１００２が受信（Ｒｘ）掃引を実行することを可能にする。受信モードにあるＵＥ１００２は、同期／発見信号１００６を検出する試みにおいて、異なる受信方向にわたって掃引し得る。同期／発見信号１００６のうちの１つまたは複数がＵＥ１００２によって検出され得る。強い同期／発見信号１００６が検出されたとき、ＵＥ１００２は、強い同期／発見信号に対応する、ＣＰ１００４の最適送信方向とＵＥ１００２の最適受信方向とを決定し得る。たとえば、ＵＥ１００２は、強い同期／発見信号１００６の予備アンテナ重み／方向を決定し得、ＣＰ１００４がビームフォーミングされた信号を最適に受信することが予想される時間および／またはリソースをさらに決定し得る。その後、ＵＥ１００２は、ビームフォーミングされた信号を介してＣＰ１００４に対する同期／発見を試み得る。
【００４８】
[0065]図１０Ｂを参照すると、ＵＥ１００２は、異なる送信方向においてビームフォーミングされた信号１０２６（たとえば、同期／発見信号）を送信することによって同期／発見を試み得る。一態様では、ＵＥ１００２は、ＣＰ１００４が同期／発見信号を最適に受信することが予想される時間／リソースにおいて、ＵＥ１００２の最適受信方向に沿って送信することによって同期／発見信号１０２６を送信し得る。受信モードにあるＣＰ１００４は、異なる受信方向にわたって掃引し、受信方向に対応する１つまたは複数のタイムスロット中にＵＥ１００２からの同期／発見信号１０２６を検出し得る。強い同期／発見信号１０２６が検出されたとき、ＣＰ１００４は、強い同期／発見信号に対応する、ＵＥ１００２の最適送信方向とＣＰ１００４の最適受信方向とを決定し得る。たとえば、ＣＰ１００４は、強い同期／発見信号１０２６の予備アンテナ重み／方向を決定し得、ＵＥ１００２がビームフォーミングされた信号を最適に受信することが予想される時間および／またはリソースをさらに決定し得る。図１０Ａおよび図１０Ｂに関して上記で説明したプロセスは、ＵＥ１００２とＣＰ１００４とが互いとのリンクを確立するための最適送信および受信方向を最終的に学習するように、時間とともに改良されるか、または繰り返され得る。
【００４９】
[0066]一態様では、ＣＰ１００４は、いくつかのビームフォーミング方向に従って同期／発見信号を送信するためのシーケンスまたはパターンを選定し得る。ＣＰ１００４は、次いで、同期／発見信号を検出する試みにおいて、ＵＥ１００２がいくつかのビームフォーミング方向にわたって掃引するのに十分長い時間の量の間、信号を送信し得る。たとえば、ＣＰビームフォーミング方向はｎによって示され得、ただし、ｎは０からＮまでの整数であり、Ｎは送信方向の最大数である。その上、ＵＥビームフォーミング方向はｋによって示され得、ただし、ｋは０からＫまでの整数であり、Ｋは受信方向の最大数である。ＣＰ１００４からの同期／発見信号を検出すると、ＵＥ１００２は、ＵＥ１００２ビームフォーミング方向がｋ＝２であり、ＣＰ１００４ビームフォーミング方向がｎ＝３であるとき、最も強い同期／発見信号が受信されることを発見し得る。したがって、ＵＥ１００２は、対応する応答タイムスロット中でＣＰ１００４に応答する（ビームフォーミングされた信号を送信する）ために同じアンテナ重み／方向を使用し得る。すなわち、ＵＥ１００２は、ＣＰ１００４がＣＰ１００４ビームフォーミング方向ｎ＝３において受信掃引を実行することが予想されるタイムスロット中にＵＥ１００２ビームフォーミング方向ｋ＝２を使用して、ＣＰ１００４に信号を送り得る。
【００５０】
[0067]一態様では、図１０Ａおよび図１０Ｂに関して上記で説明した動作は、少なくとも動作の初期段階中にリンクバジェットによって制限され、したがって、ロバストでないことがある。したがって、ＬＴＥなどのより低い周波数システムが、プロセスを加速するために利用され得る。たとえば、ＬＴＥは、タイミング情報（またはオフセット）、ビームフォーミング周期性、および／あるいはデバイス能力を取得するために使用され得る。ＬＴＥシグナリングは、ｍｍＷアクセスシンボルおよびタイミングがＬＴＥフレーム構造にどのように関係するかに関する情報（たとえば、オフセット情報）を与え得る。その上、ＬＴＥチャネルは、肯定応答メッセージ、ビーム探索応答メッセージなどをシグナリングするために使用され得る。一態様では、ｍｍＷシステムが特に信頼できない場合、送信機から受信機に通信されるべきデータビットの大部分は、ＬＴＥチャネル上で送られ得るが、必要なシグネチャ、パイロットなどは、同期および発見を支援するためにｍｍＷチャネル上で送られ得る。
【００５１】
[0068]一態様では、高度にビームフォーミングされたシステムにおけるデバイス（ＣＰまたはＵＥ）の発見は、広いアンテナパターンがリンクバジェットを克服するのに好適でないことがあるので、時間領域に対して実行される（たとえば、時間的にシーケンスまたはシグネチャを探索すること）だけでなく、角度領域に対しても実行され得る。したがって、ＣＰおよび／またはＵＥは、非全方向性パターンにおいて検出シーケンスを送信し（たとえば、ある角度幅のビームを送信し）、異なる方向／角度にわたって掃引し得る。
【００５２】
[0069]初期同期および発見は、ＣＰとＵＥとが互いの間でタイミングおよび周波数オフセットの感覚を取得することを可能にする。ＣＰおよび／またはＵＥの効率的な発見を可能にするために、共通タイミング（たとえば、基準タイミング）が使用され得る。
【００５３】
[0070]図１１Ａは、信号を送信するために外部タイミング／周波数情報を使用することの一例を示す図１１００である。図１１Ａを参照すると、ＣＰ（たとえば、ｍｍＷ  ＣＰ）１１０４は、ＬＴＥソース、全地球測位システム（ＧＰＳ）ソース、または他のタイプのソースなど、外部ソース１１０２から粗いレベルのタイミング情報および／またはキャリア周波数補正を取得し得る。ＵＥ１１０６も、外部ソース１１０２から同様のレベルのタイミング情報および／またはキャリア周波数補正を取得し得る。粗いタイミングの利用可能性がある場合、ＣＰ１１０４は、タイミングあいまいさを有する粗いタイミンググラニュラリティ（timing granularity）の存在下でさえＵＥ１１０６によって検出されることが可能である周期的ビーコン信号（または「ビーコン」）１１０８を送信し得る。
【００５４】
[0071]ＣＰ１１０４は、外部ソース１１０２（たとえば、ＬＴＥソース）に関して定義される粗いタイムスロット１１１０中で（たとえば、ビーム掃引に従って）異なる方向において周期的ビーコン１１０８を送り得る。異なる方向と粗いタイムスロット１１１０との間の関係は、外部ソース１１０２によってブロードキャストされるか、または絶対時間（たとえば、ユニバーサル時間時計（ＵＴＣ：Universal Time Clock）時間）からの共通オフセットとして定義され得る。ＣＰ１１０４とＵＥ１１０６との間の近似共通タイムラインが確立されると、ＣＰ１１０４とＵＥ１１０６との間の効率的な同期および発見が達成され得る。
【００５５】
[0072]図１１Ｂは、タイムスロットサブスロット中で、ビームフォーミングされた信号を通信することの一例を示す図１１５０である。図１１Ｂを参照すると、タイムスロット１１１０は、いくつかの送信サブスロット１１５２（たとえば、サブスロット１１５２ａ、１１５２ｂ、１１５２ｃ、１１５２ｄ、１１５２ｅ、１１５２ｆ、および１１５２ｇ）を含み得る。ＣＰ１１０４は、各送信サブスロット１１５２中で特定の方向においてビーコンをビームフォーミングし得る。タイムスロット１１１０は、外部ソース１１０２（たとえば、ＬＴＥソース）から受信されたタイミング情報から決定され得る。特定の方向においてビーコンをビームフォーミングするための送信サブスロット１１５２のうちのいずれか１つが、異なるタイムスロットにわたって残存し得る。これは、ビーコンを追跡／受信するとき、受信機が探索努力を最小限に抑えるのを助ける。
【００５６】
[0073]異なるＣＰから送信されたビーコンの衝突を防ぐために、ＣＰ１１０４は、ビーコンが送信サブスロット１１５２中で送信される角度掃引（特定の方向）を擬似ランダム化し得る。たとえば、ＣＰ１１０４は、周期的または擬似ランダム様式に従って各送信サブスロット１１５２中でビーコンを送信するためにビームフォーミング重みを割り当て得る。ビーコンが送信される特定の方向を擬似ランダム化することによって、同じビームフォーミング方向において同時にビーコンを送信する２つまたはそれ以上のＣＰによって引き起こされるビーコン衝突を最小限に抑えながら、受信機（たとえば、ＵＥ１１０６）によって、ビーコン送信パターンが予測され得る。
【００５７】
[0074]図１１Ｂを参照すると、ＣＰ１１０４は、受信機として動作するとき、異なるタイムスロット１１６０を使用し得る。ＣＰ１１０４は、タイムスロット１１６０中で送信機（たとえば、ＵＥ１１０６）から、ビームフォーミングされた信号を受信し得る。タイムスロット１１６０はいくつかの受信サブスロット１１６２（たとえば、サブスロット１１６２ａ、１１６２ｂ、１１６２ｃ、１１６２ｄ、１１６２ｅ、１１６２ｆ、および１１６２ｇ）を含み得る。ＣＰ１１０４は、ＣＰ１１０４が送信サブスロット１１５２中でビーコンを送信した同じビームフォーミング方向に従って、受信サブスロット１１６２中で信号を受信し得る。たとえば、各受信サブスロット１１６２中で、ＣＰ１１０４は、対応する送信サブスロット１１５２に割り当てられたビームフォーミング重みに対して対称であるビームフォーミング重み、またはそれらの割り当てられたビームフォーミング重みの置換されたバージョンを割り当て得る。一態様では、信号を送信するための送信サブスロット１１５２のビームフォーミング方向は、信号を受信するための受信サブスロット１１６２のビームフォーミング方向との１対１のマッピングを有し得る。たとえば、送信サブスロット１１５２ａのビームフォーミング方向は受信サブスロット１１６２ａのビームフォーミング方向と同じであり得、送信サブスロット１１５２ｂのビームフォーミング方向は受信サブスロット１１６２ｂのビームフォーミング方向と同じであり得、送信サブスロット１１５２ｃのビームフォーミング方向は受信サブスロット１１６２ｃのビームフォーミング方向と同じであり得、以下同様である。
【００５８】
[0075]一態様では、ＣＰ１１０４は、デジタルビームフォーミングが可能であり得、ビームフォーミング重みが、信号をサンプリングし、デジタル化する前に、ＲＦにおいて設定されなければならないアナログビームフォーミングデバイスとは異なり、複数のビームフォーミングされた信号を同時に送信することができる。したがって、ＣＰ１１０４は、複数の方向において同期／発見信号を同時に送信し得る。さらなる態様では、ＣＰ１１０４は、接続されたときでも、あるビーム上で同期信号をデバイスに送信するか、または別のビーム上でデータを別のデバイスに送信し得る。
【００５９】
[0076]ＣＰ１１０４は、送信をランダム化し得、近くのＣＰの存在を発見するために、いくつかのサブスロット（たとえば、サブスロット１１５２）の間、またはタイムスロット（たとえば、タイムスロット１１１０）全体の間サイレントのままであること選定し得る。ＣＰ間のそのような接続性は、ネットワークにおけるモビリティを処理するために有用である。
【００６０】
[0077]ＣＰ１１０４によって送信されたビーコンは様々な情報を含み得る。たとえば、ビーコンは、たとえば、デジタルビームフォーミング能力、送信電力、最大送信電力、アンテナの数、セクタの数、他のＣＰを見る能力、および外部ネットワーク（たとえば、ＬＴＥ）への接続性／モビリティを含む、ＣＰ能力情報を含み得る。ビーコンは、ビーコン周期性、ＵＥがＣＰを識別することを可能にするためのセルＩＤまたは他の識別情報、対応する受信ビームフォーミングサブスロットへの送信ビームフォーミングサブスロットのマッピング、および／あるいは送信タイムスロットに対する受信タイムスロットのロケーションをさらに含み得る。
【００６１】
[0078]図１１Ａおよび図１１Ｂを参照すると、ＵＥ１１０６は以下のように動作し得る。ＵＥ１１０６は、起動し、外部ソース１１０２から粗いタイミング情報および／またはキャリア周波数補正を取得し得る。ＵＥ１１０２はまた、外部ソース１１０２からブロードキャスト信号を受信することによって、または絶対時間（たとえば、ＵＴＣ）からの共通オフセットから、粗いタイミング情報へのオフセットを決定し得る。
【００６２】
[0079]ＵＥ１１０２は、発見／同期タイムスロットに対応する選択的タイムスロット中に受信するために起動し得る。一態様では、ＵＥ１１０２は、受信ビームフォーミングされたパターンに従って、タイムスロットのいくつかのサブスロットにわたって掃引し得る。
【００６３】
[0080]ＵＥ１１０２は、ビーコンが、しきい値よりも大きい電力でＣＰ１１０４から受信された、サブスロット（たとえば、ビーコンが最高電力で受信されたサブスロット）に対応するサブスロット中でＣＰ１１０４に応答信号を送信し得る。ＵＥ１１０２は、それぞれのビーコンの受信信号強度および／またはそれぞれのビーコン中に含まれるビームフォーミング能力情報に従って、同じサブスロット中でそれぞれのビーコンを送信したいくつかのＣＰの中からあるＣＰを選択し得る。
【００６４】
[0081]ＵＥ１１０２は、外部ソース１１０２および／またはＣＰ１１０４から追加の改善されたタイミングを受信し、改善されたタイミングに基づいて、信号を受信するためのタイムスロット境界を調整し得る。ＵＥ１１０２はまた、選定されたビームフォーミング方向においてビーコンの受信電力に基づいて送信電力を調整し得る。たとえば、ＵＥ１１０２は、ビーコン受信電力が弱い（しきい値を下回る）場合、送信電力を増加させ、ビーコン受信電力が強い（しきい値を上回る）場合、送信電力を低減し得る。
【００６５】
[0082]図１２は、ワイヤレス通信の方法のフローチャート１２００である。本方法は、より低い周波数チャネルを介して（たとえば、ＬＴＥシステムを介して）、およびより高い周波数チャネルを介して（たとえば、ｍｍＷシステムを介して）信号を通信することが可能な接続ポイント（ＣＰ）によって実行され得る。ステップ１２０２において、ＣＰは受信基準タイミング情報を受信する。たとえば、ＣＰは外部ソース（たとえば、外部ソース１１０２）から基準タイミング情報を受信する。
【００６６】
[0083]ステップ１２０４において、ＣＰは、基準タイミング情報に基づいて、ビーコンを送信するための１つまたは複数のタイムスロット（たとえばタイムスロット１１１０）を決定する。ステップ１２０６において、ＣＰは、１つまたは複数のタイムスロットのうちの少なくとも１つのタイムスロット中にビーコンを送信する。ビーコンは、少なくとも１つのタイムスロット（たとえば、タイムスロット１１１０）のいくつかのサブスロット（たとえば、サブスロット１１５２）に対応するそれぞれ１つまたは複数の方向において送信され得る。その上、ビーコンはＣＰのビームフォーミング能力情報を含み得る。一態様では、ビーコンは、擬似ランダム方法に従って選択された方向において送信され得る。擬似ランダム方法は、ＣＰのセル識別子に基づいて計算されるか、またはＣＰに割り当てられ得る。さらなる態様では、ビーコンは複数の方向において同時に送信され得る。
【００６７】
[0084]ステップ１２０６の後、本方法はステップ１２０８に進み得、ここにおいて、ＣＰは、１つまたは複数のタイムスロットのうちの少なくとも１つの他のタイムスロット（たとえば、タイムスロット１１６０）中にユーザ機器（ＵＥ）（たとえば、ＵＥ１１０６）から応答信号を受信する。応答信号は、ビーコンが送信される１つまたは複数の方向に対応する方向において受信され得る。
【００６８】
[0085]追加または代替として、ステップ１２０６の後、本方法はステップ１２１０に進み得、ここにおいて、ＣＰは、少なくとも１つのタイムスロットの少なくとも１つのサブスロット中でビーコンを送信することを控え、少なくとも１つのサブスロット中に少なくとも１つの他のＣＰの存在を発見する。その後、ステップ１２１２において、ＣＰは、少なくとも１つの他のＣＰの送信タイミングを決定し、少なくとも１つの他のＣＰの送信タイミングに基づいて１つまたは複数のタイムスロットの境界を調整する。ビーコンは、送信のために少なくとも１つの他のＣＰによって使用されるサブバンドとは異なるサブバンド中で送信され得る。
【００６９】
[0086]追加または代替として、ステップ１２０６の後、ＣＰはステップ１２１４に進み得、ここにおいて、ＣＰは、少なくとも１つの方向においてデータまたは制御情報を送信しながら、少なくとも１つの他の方向においてビーコンを送信する。
【００７０】
[0087]図１３は、ワイヤレス通信の方法のフローチャート１３００である。本方法は、より低い周波数チャネルを介して（たとえば、ＬＴＥシステムを介して）、およびより高い周波数チャネルを介して（たとえば、ｍｍＷシステムを介して）信号を通信することが可能なＵＥによって実行され得る。ステップ１３０２において、ＵＥは受信基準タイミング情報を受信する。たとえば、ＵＥは外部ソース（たとえば、外部ソース１１０２）から基準タイミング情報を受信する。
【００７１】
[0088]ステップ１３０４において、ＵＥは、基準タイミング情報に基づいて、少なくとも１つの接続ポイント（たとえば、ＣＰ１１０４）からそれぞれ少なくとも１つのビーコンを受信するための１つまたは複数のタイムスロット（たとえばタイムスロット１１１０）を決定する。それぞれのビーコンは、それぞれの接続ポイントのビームフォーミング能力情報を含み得る。
【００７２】
[0089]ステップ１３０６において、ＵＥは、１つまたは複数のタイムスロットのうちの少なくとも１つのタイムスロット（たとえば、タイムスロット１１１０）中に起動する。ステップ１３０８において、ＵＥは、少なくとも１つのタイムスロット（たとえば、タイムスロット１１１０）のいくつかのサブスロット（たとえば、サブスロット１１５２）に対応するそれぞれ１つまたは複数の方向において少なくとも１つのビーコンを監視する。
【００７３】
[0090]ステップ１３１０において、ＵＥは、少なくとも１つのタイムスロット中で少なくとも１つのビーコンを受信する。少なくとも１つのビーコンは、１つまたは複数の方向のうちの少なくとも１つの方向において受信され得る。
【００７４】
[0091]ステップ１３１０の後、本方法はステップ１３１２に進み得、ここにおいて、ＵＥは、１つまたは複数のタイムスロットのうちの少なくとも１つの他のタイムスロット（たとえば、サブスロット１１６０）中に応答信号を接続ポイント（たとえば、ＣＰ１１０４）に送信する。応答信号は、ビーコンが、しきい値よりも大きい電力で受信される、少なくとも１つのタイムスロット（タイムスロット１１１０）のサブスロット（たとえば、サブスロット１１５２ｃ）に対応する少なくとも１つの他のタイムスロット（タイムスロット１１６０）のサブスロット（たとえば、サブスロット１１６２ｃ）中で送信され得る。
【００７５】
[0092]追加または代替として、ステップ１３１０の後、本方法はステップ１３１４に進み得、ここにおいて、ＵＥは、少なくとも１つのタイムスロット（タイムスロット１１１）の同じサブスロット（たとえば、サブスロット１１５２ｂ）中でそれぞれのビーコンを送信した複数の接続ポイントのうちの１つを選択する。選択は、しきい値よりも大きい信号強度で受信されるビーコン、および／またはそれぞれのビーコン中に含まれるビームフォーミング能力情報に基づき得る。ＵＥは、次いで、１つまたは複数のタイムスロットのうちの少なくとも１つの他のタイムスロット（たとえば、タイムスロット１１６０）中に応答信号を選択された接続ポイントに送信する。応答信号は、選択された接続ポイントからのビーコンが受信される少なくとも１つタイムスロット（タイムスロット１１１０）のサブスロット（たとえば、サブスロット１１５２ｆ）に対応する少なくとも１つの他のタイムスロット（タイムスロット１１６０）のサブスロット（たとえば、サブスロット１１６２ｆ）中で送信され得る。一態様では、選択された接続ポイントからのビーコンは、第１の受信方向を使用して受信される。応答信号は、第１の受信方向に対応する第１の送信方向を使用して、選択された接続ポイントに送信され得る。
【００７６】
[0093]追加または代替として、ステップ１３１０の後、本方法はステップ１３１６に進み得、ここにおいて、ＵＥは、ビームフォーミング能力情報に基づいて少なくとも１つの接続ポイントの送信タイミングを決定する。その後、ＵＥは、少なくとも１つの接続ポイントの送信タイミングに基づいて１つまたは複数のタイムスロットの境界を調整し得る。
【００７７】
[0094]追加または代替として、ステップ１３１０の後、本方法は、ステップ１３１８に進み得、ここにおいて、ＵＥは少なくとも１つのビーコンの受信電力を決定する。その後、ＵＥは、少なくとも１つのビーコンの受信電力に基づいて、信号を送信するための電力を調整する。
【００７８】
[0095]図１４は、例示的な装置１４０２中の異なるモジュール／手段／構成要素間のデータフローを示す概念データフロー図１４００である。本装置は、より低い周波数チャネルを介して（たとえば、ＬＴＥシステムを介して）、およびより高い周波数チャネルを介して（たとえば、ｍｍＷシステムを介して）信号を通信することが可能な接続ポイント（ＣＰ）であり得る。本装置は、受信モジュール１４０４と、タイムスロット処理モジュール１４０６と、信号処理モジュール１４０８と、発見モジュール１４１０と、送信モジュール１４１２とを含む。
【００７９】
[0096]受信モジュール１４０４は受信基準タイミング情報を受信する。たとえば、受信モジュール１４０４は外部ソース１４７０（たとえば、ＬＴＥソース）から基準タイミング情報を受信する。
【００８０】
[0097]タイムスロット処理モジュール１４０６は、基準タイミング情報に基づいて、ビーコンを送信するための１つまたは複数のタイムスロット（たとえばタイムスロット１１１０）を決定する。信号処理モジュール１４０８は、１つまたは複数のタイムスロットのうちの少なくとも１つのタイムスロット中にビーコンを（送信モジュール１４１２を介して）送信する。ビーコンは、少なくとも１つのタイムスロット（たとえば、タイムスロット１１１０）のいくつかのサブスロット（たとえば、サブスロット１１５２）に対応するそれぞれ１つまたは複数の方向において送信され得る。その上、ビーコンは装置１４０２のビームフォーミング能力情報を含み得る。一態様では、ビーコンは、擬似ランダム方法に従って選択された方向において送信され得る。擬似ランダム方法は、装置１４０２のセル識別子に基づいて計算されるか、または装置１４０２に割り当てられ得る。さらなる態様では、ビーコンは複数の方向において同時に送信され得る。
【００８１】
[0098]受信モジュール１４０４は、１つまたは複数のタイムスロットのうちの少なくとも１つの他のタイムスロット（たとえば、タイムスロット１１６０）中にユーザ機器（ＵＥ）（たとえば、ＵＥ１４５０）から応答信号を受信し得る。応答信号は、ビーコンが送信される１つまたは複数の方向に対応する方向において受信され得る。
【００８２】
[0099]追加または代替として、信号処理モジュール１４０８は、少なくとも１つのタイムスロットの少なくとも１つのサブスロット中でビーコンを送信することを控え得る。発見モジュール１４１０は、少なくとも１つのサブスロット中に少なくとも１つの他のＣＰ（たとえば、ＣＰ１４８０）の存在を（受信モジュール１４０４を介して）発見し得る。その後、タイムスロット処理モジュール１４０６は、少なくとも１つの他のＣＰ１４８０の送信タイミングを決定し、少なくとも１つの他のＣＰ１４８０の送信タイミングに基づいて１つまたは複数のタイムスロットの境界を調整する。ビーコンは、送信のために少なくとも１つの他のＣＰ１４８０によって使用されるサブバンドとは異なるサブバンド中で送信され得る。
【００８３】
[00100]追加または代替として、信号処理モジュール１４０８は、少なくとも１つの方向においてデータまたは制御情報を（送信モジュール１４１２を介して）送信しながら、少なくとも１つの他の方向においてビーコンを送信し得る。
【００８４】
[00101]本装置は、図１２の上述のフローチャート中のアルゴリズムのステップの各々を実行する追加のモジュールを含み得る。したがって、図１２の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８５】
[00102]図１５は、例示的な装置１５０２中の異なるモジュール／手段／構成要素間のデータフローを示す概念データフロー図１５００である。本装置は、より低い周波数チャネルを介して（たとえば、ＬＴＥシステムを介して）、およびより高い周波数チャネルを介して（たとえば、ｍｍＷシステムを介して）信号を通信することが可能なＵＥであり得る。本装置は、受信モジュール１５０４と、タイムスロット処理モジュール１５０６と、信号処理モジュール１５１０と、選択モジュール１５１２と、送信モジュール１５１４とを含む。
【００８６】
[00103]受信モジュール１５０４は受信基準タイミング情報を受信する。たとえば、受信モジュール１５０４は外部ソース１５７０（たとえば、ＬＴＥソース）から基準タイミング情報を受信する。
【００８７】
[00104]タイムスロット処理モジュール１５０６は、基準タイミング情報に基づいて、少なくとも１つの接続ポイント（たとえば、ＣＰ１５５０）からそれぞれ少なくとも１つのビーコンを受信するための１つまたは複数のタイムスロット（たとえばタイムスロット１１１０）を決定する。それぞれのビーコンは、それぞれの接続ポイントのビームフォーミング能力情報を含み得る。
【００８８】
[00105]起動モジュール１５０８は、１つまたは複数のタイムスロットのうちの少なくとも１つのタイムスロット（たとえば、タイムスロット１１１０）中に起動する。信号処理モジュール１５１０は、少なくとも１つのタイムスロット（たとえば、タイムスロット１１１０）のいくつかのサブスロット（たとえば、サブスロット１１５２）に対応するそれぞれ１つまたは複数の方向において少なくとも１つのビーコンを監視する。
【００８９】
[00106]信号処理モジュール１５１０は、少なくとも１つのタイムスロット中で少なくとも１つのビーコンを（受信モジュール１５０４を介して）受信する。少なくとも１つのビーコンは、１つまたは複数の方向のうちの少なくとも１つの方向において受信され得る。
【００９０】
[00107]追加または代替として、信号処理モジュール１５１０は、１つまたは複数のタイムスロットのうちの少なくとも１つの他のタイムスロット（たとえば、サブスロット１１６０）中に応答信号を（送信モジュール１５１４を介して）接続ポイント（たとえば、ＣＰ１５５０）に送信し得る。応答信号は、ビーコンが、しきい値よりも大きい電力で受信される、少なくとも１つのタイムスロット（タイムスロット１１１０）のサブスロット（たとえば、サブスロット１１５２ｃ）に対応する少なくとも１つの他のタイムスロット（タイムスロット１１６０）のサブスロット（たとえば、サブスロット１１６２ｃ）中で送信され得る。
【００９１】
[00108]追加または代替として、選択モジュール１５１２は、少なくとも１つのタイムスロット（タイムスロット１１１）の同じサブスロット（たとえば、サブスロット１１５２ｂ）中でそれぞれのビーコンを送信した複数の接続ポイントのうちの１つを選択し得る。選択は、しきい値よりも大きい信号強度で受信されるビーコン、および／またはそれぞれのビーコン中に含まれるビームフォーミング能力情報に基づき得る。信号処理モジュール１５１０は、１つまたは複数のタイムスロットのうちの少なくとも１つの他のタイムスロット（たとえば、タイムスロット１１６０）中に応答信号を（送信モジュール１５１４を介して）選択された接続ポイントに送信し得る。応答信号は、選択された接続ポイントからのビーコンが受信される少なくとも１つタイムスロット（タイムスロット１１１０）のサブスロット（たとえば、サブスロット１１５２ｆ）に対応する少なくとも１つの他のタイムスロット（タイムスロット１１６０）のサブスロット（たとえば、サブスロット１１６２ｆ）中で送信され得る。一態様では、選択された接続ポイントからのビーコンは、第１の受信方向を使用して受信される。応答信号は、第１の受信方向に対応する第１の送信方向を使用して、選択された接続ポイントに送信され得る。
【００９２】
[00109]追加または代替として、タイムスロット処理モジュール１５０６は、ビームフォーミング能力情報に基づいて少なくとも１つの接続ポイントの送信タイミングを決定し得る。その後、タイムスロット処理モジュール１５０６は、少なくとも１つの接続ポイントの送信タイミングに基づいて１つまたは複数のタイムスロットの境界を調整し得る。
【００９３】
[00110]追加または代替として、信号処理モジュール１５１０は少なくとも１つのビーコンの受信電力を決定し得る。その後、送信モジュール１５１４は、少なくとも１つのビーコンの受信電力に基づいて、信号を送信するための電力を調整する。
【００９４】
[00111]本装置は、図１３の上述のフローチャート中のアルゴリズムのステップの各々を実行する追加のモジュールを含み得る。したがって、図１３の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９５】
[00112]図１６は、処理システム１６１４を採用する装置１４０２’のためのハードウェア実装形態の一例を示す図１６００である。処理システム１６１４は、バス１６２４によって概略的に表されるバスアーキテクチャを用いて実装され得る。バス１６２４は、処理システム１６１４の特定の適用例および全体的な設計制約に応じて、任意の数の相互接続バスおよびブリッジを含み得る。バス１６２４は、プロセッサ１６０４によって表される１つまたは複数のプロセッサおよび／またはハードウェアモジュールと、モジュール１４０４、１４０６、１４０８、１４１０、１４１２と、コンピュータ可読媒体／メモリ１６０６とを含む様々な回路を互いにリンクする。バス１６２４はまた、タイミングソース、周辺機器、電圧調整器、および電力管理回路など、様々な他の回路をリンクし得るが、これらの回路は当技術分野においてよく知られており、したがって、これ以上説明しない。
【００９６】
[00113]処理システム１６１４はトランシーバ１６１０に結合され得る。トランシーバ１６１０は１つまたは複数のアンテナ１６２０に結合される。トランシーバ１６１０は、伝送媒体を介して様々な他の装置と通信するための手段を与える。トランシーバ１６１０は、１つまたは複数のアンテナ１６２０から信号を受信し、受信された信号から情報を抽出し、抽出された情報を処理システム１６１４、特に受信モジュール１４０４に与える。さらに、トランシーバ１６１０は、処理システム１６１４、特に送信モジュール１４１２から情報を受信し、受信された情報に基づいて、１つまたは複数のアンテナ１６２０に適用されるべき信号を生成する。処理システム１６１４は、コンピュータ可読媒体／メモリ１６０６に結合されたプロセッサ１６０４を含む。プロセッサ１６０４は、コンピュータ可読媒体／メモリ１６０６に記憶されたソフトウェアの実行を含む一般的な処理を担当する。ソフトウェアは、プロセッサ１６０４によって実行されたとき、処理システム１６１４に、特定の装置のための上記で説明した様々な機能を実行させる。コンピュータ可読媒体／メモリ１６０６はまた、ソフトウェアを実行するときにプロセッサ１６０４によって操作されるデータを記憶するために使用され得る。処理システムは、モジュール１４０４、１４０６、１４０８、１４１０、および１４１２のうちの少なくとも１つをさらに含む。それらのモジュールは、プロセッサ１６０４中で動作し、コンピュータ可読媒体／メモリ１６０６中に常駐する／記憶されたソフトウェアモジュールであるか、プロセッサ１６０４に結合された１つまたは複数のハードウェアモジュールであるか、またはそれらの何らかの組合せであり得る。処理システム１６１４は、基地局６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【００９７】
[00114]一構成では、ワイヤレス通信のための装置１４０２／１４０２’は、基準タイミング情報を受信するための手段と、基準タイミング情報に基づいて、ビーコンを送信するための１つまたは複数のタイムスロットを決定するための手段と、１つまたは複数のタイムスロットのうちの少なくとも１つタイムスロット中にビーコンを送信するための手段と、ここにおいて、ビーコンが、少なくとも１つのタイムスロットのいくつかのサブスロットに対応するそれぞれ１つまたは複数の方向において送信され、ここにおいて、ビーコンがＣＰのビームフォーミング能力情報を備える、１つまたは複数のタイムスロットのうちの少なくとも１つの他のタイムスロット中にユーザ機器（ＵＥ）から応答信号を受信するための手段と、ここにおいて、応答信号は、ビーコンが送信される１つまたは複数の方向に対応する方向において受信される、少なくとも１つの方向においてデータまたは制御情報を送信しながら、少なくとも１つの他の方向においてビーコンを送信するための手段と、少なくとも１つのタイムスロットの少なくとも１つのサブスロット中でビーコンを送信することを控えるための手段と、少なくとも１つのサブスロット中に少なくとも１つの他のＣＰの存在を発見するための手段と、少なくとも１つの他のＣＰの送信タイミングを決定するための手段と、少なくとも１つの他のＣＰの送信タイミングに基づいて１つまたは複数のタイムスロットの境界を調整するための手段とを含む。
【００９８】
[00115]上述の手段は、上述の手段によって具陳された機能を実行するように構成された、装置１４０２、および／または装置１４０２’の処理システム１６１４の上述のモジュールのうちの１つまたは複数であり得る。上記で説明したように、処理システム１６１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６７５とであり得る。
【００９９】
[00116]図１７は、処理システム１７１４を採用する装置１５０２’のためのハードウェア実装形態の一例を示す図１７００である。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスおよびブリッジを含み得る。バス１７２４は、プロセッサ１７０４によって表される１つまたは複数のプロセッサおよび／またはハードウェアモジュールと、モジュール１５０４、１５０６、１５０８、１５１０、１５１２、１５１４と、コンピュータ可読媒体／メモリ１７０６とを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明しない。
【０１００】
[00117]処理システム１７１４はトランシーバ１７１０に結合され得る。トランシーバ１７１０は１つまたは複数のアンテナ１７２０に結合される。トランシーバ１７１０は、伝送媒体を介して様々な他の装置と通信するための手段を与える。トランシーバ１７１０は、１つまたは複数のアンテナ１７２０から信号を受信し、受信された信号から情報を抽出し、抽出された情報を処理システム１７１４、特に受信モジュール１５０４に与える。さらに、トランシーバ１７１０は、処理システム１７１４、特に送信モジュール１５１４から情報を受信し、受信された情報に基づいて、１つまたは複数のアンテナ１７２０に適用されるべき信号を生成する。処理システム１７１４は、コンピュータ可読媒体／メモリ１７０６に結合されたプロセッサ１７０４を含む。プロセッサ１７０４は、コンピュータ可読媒体／メモリ１７０６に記憶されたソフトウェアの実行を含む一般的な処理を担当する。ソフトウェアは、プロセッサ１７０４によって実行されたとき、処理システム１７１４に、特定の装置のための上記で説明した様々な機能を実行させる。コンピュータ可読媒体／メモリ１７０６はまた、ソフトウェアを実行するときにプロセッサ１７０４によって操作されるデータを記憶するために使用され得る。処理システムは、モジュール１５０４、１５０６、１５０８、１５１０、１５１２、および１５１４のうちの少なくとも１つをさらに含む。それらのモジュールは、プロセッサ１７０４中で動作し、コンピュータ可読媒体／メモリ１７０６中に常駐する／記憶されたソフトウェアモジュールであるか、プロセッサ１７０４に結合された１つまたは複数のハードウェアモジュールであるか、またはそれらの何らかの組合せであり得る。処理システム１７１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１０１】
[00118]一構成では、ワイヤレス通信のための装置１５０２／１５０２’は、基準タイミング情報を受信するための手段と、基準タイミング情報に基づいて、少なくとも１つの接続ポイントからそれぞれ少なくとも１つのビーコンを受信するための１つまたは複数のタイムスロットを決定するための手段と、ここにおいて、それぞれのビーコンが、それぞれの接続ポイントのビームフォーミング能力情報を備える、１つまたは複数のタイムスロットのうちの少なくとも１つのタイムスロット中に起動するための手段と、少なくとも１つのタイムスロットのいくつかのサブスロットに対応するそれぞれ１つまたは複数の方向において少なくとも１つのビーコンを監視するための手段と、少なくとも１つのタイムスロット中で少なくとも１つのビーコンを受信するための手段と、ここにおいて、少なくとも１つのビーコンが、１つまたは複数の方向のうちの少なくとも１つの方向において受信される、１つまたは複数のタイムスロットのうちの少なくとも１つの他のタイムスロット中に応答信号を接続ポイントに送信するための手段と、ここにおいて、応答信号は、ビーコンが、しきい値よりも大きい電力で受信される、少なくとも１つのタイムスロットのサブスロットに対応する少なくとも１つの他のタイムスロットのサブスロット中で送信される、しきい値よりも大きい信号強度で受信されるビーコン、またはそれぞれのビーコン中に含まれるビームフォーミング能力情報のうちの少なくとも１つに基づいて、少なくとも１つのタイムスロットの同じサブスロット中でそれぞれのビーコンを送信した複数の接続ポイントのうちの１つを選択するための手段と、１つまたは複数のタイムスロットのうちの少なくとも１つの他のタイムスロット中に応答信号を選択された接続ポイントに送信するための手段と、ここにおいて、応答信号は、選択された接続ポイントからのビーコンが受信される少なくとも１つのタイムスロットのサブスロットに対応する少なくとも１つの他のタイムスロットのサブスロット中で送信される、ビームフォーミング能力情報に基づいて少なくとも１つの接続ポイントの送信タイミングを決定するための手段と、少なくとも１つの接続ポイントの送信タイミングに基づいて１つまたは複数のタイムスロットの境界を調整するための手段と、少なくとも１つのビーコンの受信電力を決定するための手段と、少なくとも１つのビーコンの受信電力に基づいて送信電力を調整するための手段とを含む。
【０１０２】
[00119]上述の手段は、上述の手段によって具陳された機能を実行するように構成された、装置１５０２、および／または装置１５０２’の処理システム１７１４の上述のモジュールのうちの１つまたは複数であり得る。上記で説明したように、処理システム１７１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【０１０３】
[00120]開示したプロセス／フローチャート中のステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示した特定の順序または階層に限定されるものではない。
【０１０４】
[00121]以上の説明は、当業者が本明細書で説明した様々な態様を実施することができるように与えられた。これらの態様に対する様々な変更は当業者には容易に明らかであり、本明細書で定義した一般原理は他の態様に適用され得る。したがって、特許請求の範囲は、本明細書に示した態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に本願発明の当初の特許請求の範囲に記載された発明を付記する。
［Ｃ１］
接続ポイント（ＣＰ）におけるワイヤレス通信の方法であって、
基準タイミング情報を受信することと、
前記基準タイミング情報に基づいて、ビーコンを送信するための１つまたは複数のタイムスロットを決定することと、
前記１つまたは複数のタイムスロットのうちの少なくとも１つのタイムスロット中に前記ビーコンを送信することと
を備え、
ここにおいて、前記ビーコンが、前記少なくとも１つのタイムスロットのいくつかのサブスロットに対応するそれぞれ１つまたは複数の方向において送信され、ここにおいて、前記ビーコンが前記ＣＰのビームフォーミング能力情報を備える、方法。
［Ｃ２］
前記ビーコンが、擬似ランダム方法に従って選択された方向において送信される、Ｃ１に記載の方法。
［Ｃ３］
前記擬似ランダム方法が、前記ＣＰのセル識別子に基づいて計算されるか、または前記ＣＰに割り当てられる、Ｃ２に記載の方法。
［Ｃ４］
前記１つまたは複数のタイムスロットのうちの少なくとも１つの他のタイムスロット中にユーザ機器（ＵＥ）から応答信号を受信すること
をさらに備え、ここにおいて、前記応答信号は、前記ビーコンが送信される前記１つまたは複数の方向に対応する方向において受信される、Ｃ１に記載の方法。
［Ｃ５］
前記ビーコンが複数の方向において同時に送信される、Ｃ１に記載の方法。
［Ｃ６］
少なくとも１つの方向においてデータまたは制御情報を送信しながら、少なくとも１つの他の方向において前記ビーコンを送信することをさらに備える、Ｃ１に記載の方法。
［Ｃ７］
前記少なくとも１つのタイムスロットの少なくとも１つのサブスロット中で前記ビーコンを送信することを控えることと、
前記少なくとも１つのサブスロット中に少なくとも１つの他のＣＰの存在を発見することと
をさらに備える、Ｃ１に記載の方法。
［Ｃ８］
前記少なくとも１つの他のＣＰの送信タイミングを決定することと、
前記少なくとも１つの他のＣＰの前記送信タイミングに基づいて前記１つまたは複数のタイムスロットの境界を調整することと
をさらに備える、Ｃ７に記載の方法。
［Ｃ９］
前記ビーコンが、送信のために前記少なくとも１つの他のＣＰによって使用されるサブバンドとは異なるサブバンド中で送信される、Ｃ７に記載の方法。
［Ｃ１０］
ユーザ機器（ＵＥ）におけるワイヤレス通信の方法であって、
基準タイミング情報を受信することと、
前記基準タイミング情報に基づいて、少なくとも１つの接続ポイントからそれぞれ少なくとも１つのビーコンを受信するための１つまたは複数のタイムスロットを決定することと、ここにおいて、それぞれのビーコンが、それぞれの接続ポイントのビームフォーミング能力情報を備える、
前記１つまたは複数のタイムスロットのうちの少なくとも１つのタイムスロット中に起動することと、
前記少なくとも１つのタイムスロットのいくつかのサブスロットに対応するそれぞれ１つまたは複数の方向において前記少なくとも１つのビーコンを監視することと、
前記少なくとも１つのタイムスロット中で前記少なくとも１つのビーコンを受信することと、ここにおいて、前記少なくとも１つのビーコンが、前記１つまたは複数の方向のうちの少なくとも１つの方向において受信される、
を備える、方法。
［Ｃ１１］
前記１つまたは複数のタイムスロットのうちの少なくとも１つの他のタイムスロット中に応答信号を接続ポイントに送信すること
をさらに備え、ここにおいて、前記応答信号は、ビーコンが、しきい値よりも大きい電力で受信される、前記少なくとも１つのタイムスロットのサブスロットに対応する前記少なくとも１つの他のタイムスロットのサブスロット中で送信される、Ｃ１０に記載の方法。
［Ｃ１２］
しきい値よりも大きい信号強度で受信される前記ビーコン、または
それぞれのビーコン中に含まれる前記ビームフォーミング能力情報
のうちの少なくとも１つに基づいて、前記少なくとも１つのタイムスロットの同じサブスロット中で前記それぞれのビーコンを送信した複数の接続ポイントのうちの１つを選択することと、
前記１つまたは複数のタイムスロットのうちの少なくとも１つの他のタイムスロット中に応答信号を前記選択された接続ポイントに送信することと、ここにおいて、前記応答信号は、前記選択された接続ポイントからの前記ビーコンが受信される前記少なくとも１つのタイムスロットの前記サブスロットに対応する前記少なくとも１つの他のタイムスロットのサブスロット中で送信される、
をさらに備える、Ｃ１０に記載の方法。
［Ｃ１３］
前記選択された接続ポイントからの前記ビーコンが、第１の受信方向を使用して受信され、
前記応答信号が、前記第１の受信方向に対応する第１の送信方向において前記選択された接続ポイントに送信される、
Ｃ１２に記載の方法。
［Ｃ１４］
前記ビームフォーミング能力情報に基づいて前記少なくとも１つの接続ポイントの送信タイミングを決定することと、
前記少なくとも１つの接続ポイントの前記送信タイミングに基づいて前記１つまたは複数のタイムスロットの境界を調整することと
をさらに備える、Ｃ１０に記載の方法。
［Ｃ１５］
前記少なくとも１つのビーコンの受信電力を決定することと、
前記少なくとも１つのビーコンの前記受信電力に基づいて送信電力を調整することと
をさらに備える、Ｃ１０に記載の方法。
［Ｃ１６］
ワイヤレス通信のための接続ポイント（ＣＰ）であって、
基準タイミング情報を受信するための手段と、
前記基準タイミング情報に基づいて、ビーコンを送信するための１つまたは複数のタイムスロットを決定するための手段と、
前記１つまたは複数のタイムスロットのうちの少なくとも１つのタイムスロット中に前記ビーコンを送信するための手段と
を備え、
ここにおいて、前記ビーコンが、前記少なくとも１つのタイムスロットのいくつかのサブスロットに対応するそれぞれ１つまたは複数の方向において送信され、ここにおいて、前記ビーコンが前記ＣＰのビームフォーミング能力情報を備える、ＣＰ。
［Ｃ１７］
前記ビーコンが、擬似ランダム方法に従って選択された方向において送信される、Ｃ１６に記載のＣＰ。
［Ｃ１８］
前記擬似ランダム方法が、前記ＣＰのセル識別子に基づいて計算されるか、または前記ＣＰに割り当てられる、Ｃ１７に記載のＣＰ。
［Ｃ１９］
前記１つまたは複数のタイムスロットのうちの少なくとも１つの他のタイムスロット中にユーザ機器（ＵＥ）から応答信号を受信するための手段
をさらに備え、ここにおいて、前記応答信号は、前記ビーコンが送信される前記１つまたは複数の方向に対応する方向において受信される、Ｃ１６に記載のＣＰ。
［Ｃ２０］
前記ビーコンが複数の方向において同時に送信される、Ｃ１６に記載のＣＰ。
［Ｃ２１］
少なくとも１つの方向においてデータまたは制御情報を送信しながら、少なくとも１つの他の方向において前記ビーコンを送信するための手段
をさらに備える、Ｃ１６に記載のＣＰ。
［Ｃ２２］
前記少なくとも１つのタイムスロットの少なくとも１つのサブスロット中で前記ビーコンを送信することを控えるための手段と、
前記少なくとも１つのサブスロット中に少なくとも１つの他のＣＰの存在を発見するための手段と
をさらに備える、Ｃ１６に記載のＣＰ。
［Ｃ２３］
前記少なくとも１つの他のＣＰの送信タイミングを決定するための手段と、
前記少なくとも１つの他のＣＰの前記送信タイミングに基づいて前記１つまたは複数のタイムスロットの境界を調整するための手段と
をさらに備える、Ｃ２２に記載のＣＰ。
［Ｃ２４］
前記ビーコンが、送信のために前記少なくとも１つの他のＣＰによって使用されるサブバンドとは異なるサブバンド中で送信される、Ｃ２２に記載のＣＰ。
［Ｃ２５］
ワイヤレス通信のためのユーザ機器（ＵＥ）であって、
基準タイミング情報を受信するための手段と、
前記基準タイミング情報に基づいて、少なくとも１つの接続ポイントからそれぞれ少なくとも１つのビーコンを受信するための１つまたは複数のタイムスロットを決定するための手段と、ここにおいて、それぞれのビーコンが、それぞれの接続ポイントのビームフォーミング能力情報を備える、
前記１つまたは複数のタイムスロットのうちの少なくとも１つのタイムスロット中に起動するための手段と、
前記少なくとも１つのタイムスロットのいくつかのサブスロットに対応するそれぞれ１つまたは複数の方向において前記少なくとも１つのビーコンを監視するための手段と、
前記少なくとも１つのタイムスロット中で前記少なくとも１つのビーコンを受信するための手段と、ここにおいて、前記少なくとも１つのビーコンが、前記１つまたは複数の方向のうちの少なくとも１つの方向において受信される、
を備える、ＵＥ。
［Ｃ２６］
前記１つまたは複数のタイムスロットのうちの少なくとも１つの他のタイムスロット中に応答信号を接続ポイントに送信するための手段
をさらに備え、ここにおいて、前記応答信号は、ビーコンが、しきい値よりも大きい電力で受信される、前記少なくとも１つのタイムスロットのサブスロットに対応する前記少なくとも１つの他のタイムスロットのサブスロット中で送信される、Ｃ２５に記載のＵＥ。
［Ｃ２７］
しきい値よりも大きい信号強度で受信される前記ビーコン、または
それぞれのビーコン中に含まれる前記ビームフォーミング能力情報
のうちの少なくとも１つに基づいて、前記少なくとも１つのタイムスロットの同じサブスロット中で前記それぞれのビーコンを送信した複数の接続ポイントのうちの１つを選択するための手段と、
前記１つまたは複数のタイムスロットのうちの少なくとも１つの他のタイムスロット中に応答信号を前記選択された接続ポイントに送信するための手段と、ここにおいて、前記応答信号は、前記選択された接続ポイントからの前記ビーコンが受信される前記少なくとも１つのタイムスロットの前記サブスロットに対応する前記少なくとも１つの他のタイムスロットのサブスロット中で送信される、
をさらに備える、Ｃ２５に記載のＵＥ。
［Ｃ２８］
前記選択された接続ポイントからの前記ビーコンが、第１の受信方向を使用して受信され、
前記応答信号が、前記第１の受信方向に対応する第１の送信方向において前記選択された接続ポイントに送信される、
Ｃ２７に記載のＵＥ。
［Ｃ２９］
前記ビームフォーミング能力情報に基づいて前記少なくとも１つの接続ポイントの送信タイミングを決定するための手段と、
前記少なくとも１つの接続ポイントの前記送信タイミングに基づいて前記１つまたは複数のタイムスロットの境界を調整するための手段と
をさらに備える、Ｃ２５に記載のＵＥ。
［Ｃ３０］
前記少なくとも１つのビーコンの受信電力を決定するための手段と、
前記少なくとも１つのビーコンの前記受信電力に基づいて送信電力を調整するための手段と
をさらに備える、Ｃ２５に記載のＵＥ。
【図１】
0006559716.tif 000002
【図２】
0006559716.tif 000003
【図３】
0006559716.tif 000004
【図４】
0006559716.tif 000005
【図５】
0006559716.tif 000006
【図６】
0006559716.tif 000007
【図７】
0006559716.tif 000008
【図８Ａ】
0006559716.tif 000009
【図８Ｂ】
0006559716.tif 000010
【図８Ｃ】
0006559716.tif 000011
【図９】
0006559716.tif 000012
【図１０Ａ】
0006559716.tif 000013
【図１０Ｂ】
0006559716.tif 000014
【図１１Ａ】
0006559716.tif 000015
【図１１Ｂ】
0006559716.tif 000016
【図１２】
0006559716.tif 000017
【図１３】
0006559716.tif 000018
【図１４】
0006559716.tif 000019
【図１５】
0006559716.tif 000020
【図１６】
0006559716.tif 000021
【図１７】
0006559716.tif 000022